(57)【要約】【課題】複数の表示装置を有する表示装置システムにおいて、１つのリモコン送信装置で表示装置の選択操作を容易にする。【解決手段】複数の表示装置を１つのリモコン送信装置で操作する表示装置システムにおいて、複数の表示装置１ａ，１ｂから発信される信号を受ける前記リモコン送信装置１１が、受ける信号の強度の高い表示装置を操作対象と判断する判断手段を備えている。【選択図】図１
2008141493.tif 000002
【特許請求の範囲】
【請求項１】
複数の表示装置を１つのリモコン送信装置で選択操作する表示装置システムにおいて、前記複数の表示装置からの送信信号を受信する前記リモコン送信装置は送信信号を受信する受信部と、前記受信部で受信した前記送信信号の強度を判定し、強度の高い送信信号を送信している表示装置を選択対象として認定し該表示装置のリモコンコマンドを出力する制御部と、前記リモコンコマンドを前記表示装置に送信する送信部とを備えたことを特徴とする表示装置システム。
【請求項２】
前記複数の表示装置は、前部座席のヘッドレスト設けたことを特徴とする請求項１記載の表示装置システム。
【請求項３】
表示装置からの受信信号および該表示装置への送信信号は、赤外線音声信号であることを特徴とする請求項１記載のリモコン送信装置。
【発明の詳細な説明】
【技術分野】
【０００１】
この発明は、近接して設けられる複数の表示装置を選択操作する表示装置システムに関する。
【背景技術】
【０００２】
車両において、後部座席の乗員が使用するために、運転席及び助手席のヘッドレストの背面にそれぞれ画像を表示する表示装置を設けることがある。その構成の概略を図で表すと図５のようになる。運転席及び助手席のヘッドレストの背面に設けられる表示装置１ａ，１ｂは、それぞれ画像を映し出すモニタ２ａ，２ｂ、ステレオ音声を発する赤外線ステレオ音声信号発行部３ａ，３ｂ、リモコン信号を受けるリモコン信号受信部４ａ，４ｂを備えている。図中、矢印５ａ，５ｂは、赤外線ステレオ音声信号発行部３ａ、３ｂから発せられる赤外線ステレオ音声信号であり、それぞれ左右のチャンネルの音声信号Ｓ（ＬＬ）、Ｓ（ＬＲ）、Ｓ（ＲＬ）、Ｓ（ＲＲ）から構成されている。これらの表示装置１ａ，１ｂには、赤外線ステレオ音声信号Ｓ（ＬＬ）、Ｓ（ＬＲ）、Ｓ（ＲＬ）、Ｓ（ＲＲ）を聞くための赤外線ヘッドフォン装置６ａ，６ｂが備わっている。このように近接して設けられている表示装置１ａ，１ｂは、混信を防ぐため異なるコマンド体系で制御されるようになっている。
【０００３】
このような表示装置システムにおいて、装置構成の簡略化等の観点からＴＶ受像機制御用のリモコン送信装置は図６に示すようなもの１つが用意されている。従って、リモコン送信装置７は、それぞれの表示装置１ａ，１ｂの個々を制御できるように、別々にコマンド体系が定義されており、リモコン送信装置７には制御対象の表示装置１ａ又は１ｂを切り替え選択する切替スイッチ８が備わっている。切替スイッチ８を「Ｒ」又は「Ｌ」の位置に移動することにより、左右の表示装置１ａ，１ｂのうちどちらを操作対象とするか選択できるようになっている。なお、複数の表示手段を備えたシステムや複数のユニットを備えたシステムにおける制御方法はすでに開示されている（特許文献１、特許文献２）。
【０００４】
【特許文献１】特開２００５−２４５００８号公報
【特許文献２】特開２００６−１０１２９３号公報
【発明の開示】
【発明が解決しようとする課題】
【０００５】
図５に示したようなシステムにおいては、所望する表示装置を制御するには、リモコン送信装置７に設けられている切替スイッチ８を手動で切り替えた後にリモコン送信装置７を操作しなければならない、という煩わしさがあった。なお、特許文献１、２に記載のものは、いずれも受信側のユニットが各ユニット間の通信により最も受信強度の強いユニットを判断するものであり、送信側についての技術ではない。
【０００６】
この発明は、このような技術的状況にかんがみてなされたもので、１つのリモコン送信装置により、複数の表示装置のうちの操作したい１つの表示装置を容易に選択できるようにすることを目的する。
【課題を解決するための手段】
【０００７】
この発明は複数の表示装置からの送信信号を受信する前記リモコン送信装置は、送信信号を受信する受信部と、受信部で受信した送信信号の強度を判定し、強度の高い送信信号を送信している表示装置を選択対象として認定し該表示装置のリモコンコマンドを出力する制御部と、リモコンコマンドを表示装置に送信する送信部とを備えたものである。
【発明の効果】
【０００８】
この発明に係る表示装置システムによれば、リモコン送信装置が受ける表示装置からの信号の強度により操作対象の表示装置を判断するようしたので、表示装置を選択するスイッチ操作が不要となり、操作の煩わしさが解消する。
【発明を実施するための最良の形態】
【０００９】
実施の形態１．
以下、この発明の実施の形態１を、図面を参照しながら詳細に説明する。図１は、実施の形態１に係る表示装置システムにおけるリモコン送信装置における制御系のブロック図を示す。図２は、リモコン送信装置による制御の手順を示す。図３、図４は、操作状態の説明図である。
【００１０】
この実施の形態１は、例えば自動車の運転席及び助手席のヘッドレストの背面に設けられた表示装置に適用したものである。図３、４に概略を示すように、表示装置１ａ，１ｂは、それぞれモニタ２ａ，２ｂ、赤外線ステレオ音声信号発行部３ａ，３ｂ、リモコン信号受信部４ａ，４ｂを備えている。図中、矢印５ａ，５ｂは、赤外線ステレオ音声信号発行部３ａ，３ｂから発せられる赤外線ステレオ音声である。音声信号５ａ，５ｂは、それぞれ左右のチャンネルの音声信号、つまり左側の表示装置１ａの左側の音声信号Ｓ（ＬＬ）及び右側の音声信号Ｓ（ＬＲ）、右側の表示装置１ｂの左側の音声信号Ｓ（ＲＬ）及び右側の音声信号Ｓ（ＲＲ）から構成されている。図示はされていないが、左右の表示装置１ａ，１ｂはそれぞれ赤外線ヘッドフォン装置を備えている。
【００１１】
この表示装置システムにおけるリモコン送信装置１１は、表示装置１ａ，１ｂ（図５参照）からの赤外線音声信号を受信する受信部１２を備えている。受信部１２は、受信した音声信号を選択抽出するバンドパスフィルタ１３ａ，１３ｂ，１３ｃ，１３ｄに接続されている。バンドパスフィルタ１３ａは、左側の表示装置１ａの左側のステレオ信号Ｓ（ＬＬ）を選択抽出し、バンドパスフィルタ１３ｂは、左側の表示装置１ａの右側のステレオ信号Ｓ（ＬＲ）を選択抽出し、バンドパスフィルタ１３ｃは、右側の表示装置１ｂの左側のステレオ信号Ｓ（ＲＬ）を選択抽出し、バンドパスフィルタ１３ｄは、右側の表示装置１ｂの右側のステレオ信号Ｓ（ＲＲ）に選択抽出する。各バンドパスフィルタ１３ａ−１３ｄで選択抽出された音声信号Ｓ（ＬＬ）、Ｓ（ＬＲ）、Ｓ（ＲＬ）、Ｓ（ＲＲ）をそれぞれキャリア強度信号Ａ（ＬＬ）、Ａ（ＬＲ）、Ａ（ＲＬ）、Ａ（ＲＲ）に変換する平滑回路１４ａ，１４ｂ，１４ｃ，１４ｄの出力は制御部１５に入力される。制御部１５は、変換されたキャリア強度信号Ａ（ＬＬ）、Ａ（ＬＲ）、Ａ（ＲＬ）、Ａ（ＲＲ）を記憶するメモリ１５ａを有している。リモコン送信装置１１には、制御部１５に操作指令を出すボタン１６が備わっている。制御部１５からはリモコン出力信号が出力される。そのため制御部１５には、リモコン出力信号を赤外線送信可能な信号に変調する変調装置１７が設けられ、この変調装置１７には、変調された赤外線信号を送信する赤外線送信部１８が接続されている。
【００１２】
表示装置１ａ，１ｂからの赤外線ステレオ音声信号は、リモコン信号送信装置１１における受光部１２により電気信号に変換され、各表示装置１ａ，１ｂから送信されるステレオ音声信号Ｓ（ＬＬ）、Ｓ（ＬＲ）、Ｓ（ＲＬ）、Ｓ（ＲＲ）を選択抽出するバンドパスフィルタ１３ａ−１３ｄにより各送信信号を抽出し、バンドパスフィルタ１３ａ−１３ｄから出力される電気信号は平滑回路１４ａ−１４ｄにより各音声信号のキャリア強度信号Ａ（ＬＬ）、Ａ（ＬＲ）、Ａ（ＲＬ）、Ａ（ＲＲ）へ変換される。制御部１５は、キャリア強度信号をＡ／Ｄ変換して取り込み、表示装置１ａ，１ｂからの各信号の強度の比較制御を行う。
【００１３】
制御部１５における制御の内容を図２のフローチャートに示す。
制御部１５は起動（ＳＴＡＲＴ）後、取り込んだキャリア強度信号Ａ（ＬＬ）、Ａ（ＬＲ）、Ａ（ＲＬ）、Ａ（ＲＲ）をメモリ１５ａに格納する（ステップＳＴ１）。次に、左側の表示装置１ａからのステレオ音声信号から変換されたキャリア強度信号Ａ（ＬＬ）とＡ（ＬＲ）の和と右側の表示装置１ｂからのステレオ音声信号から変換されたキャリア強度信号Ａ（ＲＬ）とＡ（ＲＲ）の和とが等しい（Ａ（ＬＬ）＋Ａ（ＬＲ）＝Ａ（ＲＬ）＋Ａ（ＲＲ））かどうか判定する（ステップＳＴ２）。ステップＳＴ２における判定結果が「ＹＥＳ」である場合には、ステップＳＴ６に進む。
【００１４】
ステップＳＴ２における判定結果が「ＮＯ」の場合は、更に、Ａ（ＬＬ）＋Ａ（ＬＲ）＞Ａ（ＲＬ）＋Ａ（ＲＲ）かを判定する（ステップＳＴ３）。判定結果が「ＹＥＳ」の場合は、Ｆｌａｇ＝Ｌとし（ステップＳＴ４）、判定結果が「ＮＯ」の場合は、Ｆｌａｇ＝Ｒとし（ステップＳＴ５）、次いでリモコンボタン１６が押されたかどうか判定される（ステップＳＴ６）。この判定結果が「ＹＥＳ」の場合は、Ｆｌａｇ＝Ｌかどうか判定し（ステップＳＴ７）、「ＹＥＳ」であれば、リモコンボタン１６に対応した左側の表示装置用のリモコンコマンドを送信する（ステップＳＴ８）。ステップＳＴ７における判定結果が「ＮＯ」の場合、リモコンボタン１６に対応した右側の表示装置用のリモコンコマンドを送信する（ステップＳＴ９）。
【００１５】
制御部１５は、図５に示すように、リモコン送信装置１１が左側の表示装置１ａに近い位置にある場合、左側の表示装置１ａからの送信信号Ｓ（ＬＬ）、Ｓ（ＬＲ）の強度信号Ａ（ＬＬ）、Ａ（ＬＲ）が、右側の表示装置１ｂからの送信信号Ｓ（ＲＬ）、Ｓ（ＲＲ）の強度信号Ａ（ＲＬ）、Ａ（ＲＲ）よりも大きいため、リモコン送信装置１１のボタン１６が押されたとき左側の表示装置１ａに対応したリモコンコマンド１９ａを送信する。
【００１６】
制御部１５は、図６に示すように、リモコン送信装置１１が右側の表示装置１ｂに近い位置にある場合、右側の表示装置１ｂからの送信信号Ｓ（ＲＬ）、Ｓ（ＲＲ）の強度信号Ａ（ＲＬ）、Ａ（ＲＲ）が、左側の表示装置１ａからの送信信号Ｓ（ＬＬ）、Ｓ（ＬＲ）の強度信号Ａ（ＬＬ）、Ａ（ＬＲ）よりも大きいため、リモコン送信装置１１のボタン１６が押されたとき右側の表示装置１ｂに対応したリモコンコマンド１９ｂを送信する。
【００１７】
制御部１５からのリモコンコマンド信号は、変調部１７及び赤外線送信部１８により赤外線信号に変換されて送信され、対応する表示装置、つまり表示装置１ｂを起動させる。
【００１８】
実施の形態１に係る表示装置システムによれば、リモコン送信装置が受ける左右の表示装置１ａ，１ｂからのステレオ音声信号Ｓ（ＬＬ）、Ｓ（ＬＲ）、Ｓ（ＲＬ）、Ｓ（ＲＲ）、ひいてはそれらのキャリア強度信号Ａ（ＬＬ）、Ａ（ＬＲ）、Ａ（ＲＬ）、Ａ（ＲＲ）信号の強度の比較により操作対象の表示装置が左右どちらであるかを判断するようしたので、表示装置１ａ又は１ｂを選択するスイッチ操作が不要となり、操作の煩わしさが解消する。
【００１９】
実施の形態２．
上記の実施の形態１において、各表示装置１ａ，１ｂからのステレオ音声信号のうち一方同士を比較する構成とすることもできる。つまり、左側の表示装置１ａの送信信号Ｓ（ＬＬ）、Ｓ（ＬＲ）、右側の表示装置１ｂの送信信号Ｓ（ＲＬ）、Ｓ（ＲＲ）の同じ側同士（双方の左側の信号）を比較することにより、バンドパスフィルタ、平滑回路を２系統にすることができる。つまり、実施の形態２に係る表示装置システムによれば、リモコン送信装置による左右の表示装置の選択の煩わしさがなくなると共に制御系の構造がより簡素化されるのである。
【００２０】
上記実施の形態は、この発明を、自動車の前席のヘッドレストに設けられる表示装置に適用したものであるが、表示装置としてはこれに限らず、他の乗り物に設けられる表示装置にも適用でき、乗り物以外にも表示装置が隣接して設けられる場合すべてに適用できる。なお、表示装置としては、例えばテレビジョン受信機、ＤＶＤの画像を表示する映像表示装置等である。
【図面の簡単な説明】
【００２１】
【図１】この発明の実施の形態１に係る表示装置システムのブロック図である。
【図２】実施の形態１に係る表示装置システムのフローチャートである。
【図３】実施の形態１に係る表示装置システムの操作状態の概略図である。
【図４】実施の形態１に係る表示装置システムの操作状態の概略図である。
【図５】従来の表示装置システムの１例の概略図である。
【図６】従来の表示装置システムの１例におけるリモコン送信装置の概略図である。
【符号の説明】
【００２２】
１ａ，１ｂ  表示装置、３ａ，３ｂ  赤外線ステレオ音声信号発行部、４ａ，４ｂ  リモコン信号受信部、５ａ，５ｂ  赤外線ステレオ音声信号、１１  リモコン送信装置、１２  受信部、１３ａ−１３ｄ  バンドパスフィルタ、１４ａ−１４ｄ  平滑回路、１５  制御部、１６  ボタン、１８  赤外線送信部、１９ａ，１９ｂ  リモコンコマンド。
【図１】
2008141493.tif 000003
【図２】
2008141493.tif 000004
【図３】
2008141493.tif 000005
【図４】
2008141493.tif 000006
【図５】
2008141493.tif 000007
【図６】
2008141493.tif 000008